(57)【要約】【課題】本発明は、取っ手等の把持部を持ちやすく構成しつつ、利用者に煩雑な手間をかけずに、持ち運び易く、収納し易いコンパクトな飲料容器を提供すること。【解決手段】飲み口部１４０ａを有する容器本体１３０と、外方に配置される把持部１７０ａと、を有し、容器本体には外方に延伸され把持部を支持する支軸部１６０ａがあり、把持部は把持部本体１７１ａと装着部１７２ａと、を有し、支軸部の容器本体の高さ方向における下方側には、装着部配置面１６１ｂが設けられ、装着部配置面に配置される装着部は、支軸部において回動等が可能な構成で、装着部の回動等によって、把持部本体の相対位置が容器本体に対し離間方向又は近接方向に変化し、容器本体から離間方向に配置された把持部本体の外側である把持部本体外面１７５ａが、容器本体に対して近接方向に配置されたときに容器本体の表面と対向する位置に配置される飲料容器１００。【選択図】図１
2006008187.tif 000002
【特許請求の範囲】
【請求項１】
飲み口部を有する容器本体と、
前記容器本体の外方に配置される把持部と、を有する飲料容器であって、
前記容器本体には、前記容器本体から外方に延伸されて、前記把持部を支持する支軸部が設けられ、
前記把持部は、
利用者が把持する把持部本体と、
前記支軸部に支持される装着部と、を有し、
前記支軸部の前記容器本体の高さ方向における下方側には、装着部配置面が設けられ、
前記装着部配置面には、前記装着部が配置され、
前記把持部本体は、前記装着部を中心として前記支軸部において回動又は揺動可能な構成となっており、
前記装着部の前記回動又は前記揺動によって、前記把持部本体の相対位置が前記容器本体に対し離間方向又は近接方向に変化する構成となっており、
前記容器本体から離間方向に配置された前記把持部本体の外側である把持部本体外面が、前記容器本体に対して近接方向に配置されたときに前記容器本体の表面と対向する位置に配置されることを特徴とする飲料容器。
【請求項２】
前記把持部本体を前記容器本体に対し離間方向である使用状態位置及び／又は近接方向である格納状態位置に位置決めする位置決め部が設けられ、
前記位置決め部には、
前記支軸部に形成される支軸側位置決め部と、
前記装着部に形成される装着側位置決め部と、が含まれることを特徴とする請求項１に記載の飲料容器。
【請求項３】
前記装着部には、装着側係止部が形成され、
前記支軸部には、前記装着側係止部に対応する支軸側係止部が形成され、
前記支軸係止部は、前記支軸部の前記容器本体の高さ方向における上方側に配置され、
前記装着側係止部と前記支軸側係止部とを前記支軸部の前記上方側から固定するための把持部固定手段が設けられていることを特徴とする請求項１又は請求項２に記載の飲料容器。
【請求項４】
前記容器本体から離間方向に配置された前記把持部本体が前記容器本体に対して外方に突出する凸形状を有し、
前記容器本体には、前記凸形状が配置可能な収容凹部が形成されていることを特徴とする請求項１乃至請求項３のいずれかに記載の飲料容器。
【請求項５】
前記支軸部の前記装着部配置面が、前記容器本体から離間する方向に傾斜して形成されていることを特徴とする請求項１乃至請求項３のいずれかに記載の飲料容器。
【請求項６】
飲み口部を有する容器本体と、
前記容器本体の外方に配置される把持部と、を有する飲料容器であって、
前記容器本体には、前記容器本体から外方に延伸されて、前記把持部を支持する支軸部が設けられ、
前記把持部は、
利用者が把持する把持部本体と、
前記支軸部に支持される装着部と、を有し、
前記把持部本体は、前記装着部と交差する方向に配置され、
前記支軸部の前記容器本体の高さ方向における上方側には、装着部配置面が設けられ、
前記装着部配置面には、前記装着部が配置され、
前記把持部本体は、前記装着部を中心として前記支軸部において回動又は揺動可能な構成となっており、
前記装着部の前記回動又は前記揺動によって、前記把持部本体の相対位置が前記容器本体に対し離間方向又は近接方向に変化する構成となっており、
前記容器本体から離間方向に配置された前記把持部本体の外側である把持部本体外面が、前記容器本体に対して近接方向に配置されたときに前記容器本体の表面と対向する位置に配置されることを特徴とする飲料容器。
【発明の詳細な説明】
【技術分野】
【０００１】
本発明は、ミルク等の飲料を収容する飲料容器に関するものである。
【背景技術】
【０００２】
従来より、例えば乳幼児等がミルクや麦茶等のお茶類、ジュース等の飲料を飲む飲料容器として、取っ手付きの飲料容器を使用している。このような飲料容器は蓋等が付いており、持ち運び可能に構成されており、利用者は飲料容器をバッグ内等に入れて持ち運んでいる。
しかし、飲料容器に付いている取っ手が容器本体から外方に突出して配置されているため、この取っ手がバッグ等の中で邪魔になるという問題があった。
このため、取っ手を取り外し可能に構成し、持ち運び時は取っ手を外し、使用時に取っ手を取り付けることができる構成が提案されている（例えば、特許文献１）。
しかし、この提案では、持ち運び時と使用時に取っ手を着脱する必要があり、また、取っ手自体がかさ張ってしまい、利用者が煩雑であるという問題がある。
一方、容器本体に付いている取っ手を折り畳み可能に構成したものも提案されている（例えば、特許文献２、特許文献３及び特許文献４）。
【０００３】
【特許文献１】特開２００１−２７８２８３号公報（図４等）
【特許文献２】実開昭６２−３５５７８号公報（図１等）
【特許文献３】実開昭６３−７５２７３号公報（図１等）
【特許文献４】特開２００４−２６２６５号公報（図５等）
【発明の開示】
【発明が解決しようとする課題】
【０００４】
しかしながら、特許文献２等に示すような飲料容器の場合、取っ手を折り畳んでも、その取っ手の幅分だけ外方に突出してしまい、持ち運びに際しバッグ内等で邪魔になるという問題があった。
また、このような取っ手の突出量を小さくするための取っ手の幅を狭くすると、折り畳み時の突出量は減るが、飲料容器を使用してミルク等の飲料を飲む乳幼児等にとって、把持し難い取っ手となるという問題があった。
【０００５】
そこで、取っ手等の把持部を持ちやすく構成しつつ、利用者に煩雑な手間をかけずに、持ち運び易く、収納し易いコンパクトな飲料容器を提供することを目的とする。
【課題を解決するための手段】
【０００６】
前記課題は、請求項１の発明によれば、飲み口部を有する容器本体と、前記容器本体の外方に配置される把持部と、を有する飲料容器であって、前記容器本体には、前記容器本体から外方に延伸されて、前記把持部を支持する支軸部が設けられ、前記把持部は、利用者が把持する把持部本体と、前記支軸部に支持される装着部と、を有し、前記支軸部の前記容器本体の高さ方向における下方側には、装着部配置面が設けられ、前記装着部配置面には、前記装着部が配置され、前記把持部本体は、前記装着部を中心として前記支軸部において回動又は揺動可能な構成となっており、前記装着部の前記回動又は前記揺動によって、前記把持部本体の相対位置が前記容器本体に対し離間方向又は近接方向に変化する構成となっており、前記容器本体から離間方向に配置された前記把持部本体の外側である把持部本体外面が、前記容器本体に対して近接方向に配置されたときに前記容器本体の表面と対向する位置に配置されることを特徴とする飲料容器により達成される。
【０００７】
請求項１の構成によれば、前記把持部の前記装着部は、前記容器本体の前記支軸部に対し回動又は揺動可能な構成となっているので、前記把持部本体は、前記支軸部において回動等する構成となっている。
また、前記把持部本体は、この回動等によって、その相対位置を前記容器本体に対し離間方向又は近接方向に変化させる構成となっている。
このため、利用者が前記把持部本体を把持しようとするときは、前記把持部本体を前記容器本体から離間方向に配置することで、前記把持部本体を把持することが可能となる。
一方、利用者が飲料容器を持ち運ぶためバッグ等の中に入れるときや、収納する際は、前記把持部を回動等させて、前記把持部本体を前記容器本体に対して近接方向に配置することができるので、前記容器本体から突出しない。
したがって、前記飲料容器の前記把持部本体等が利用者のバッグ等の中で邪魔になることがない。また、前記飲料容器をバッグ等の中に収容するときに、前記飲料容器の前記把持部等を取り外す必要がないため、利用者に煩雑な手間をかけることがない。
【０００８】
また、前記容器本体から離間方向に配置された前記把持部本体の外側である把持部本体外面が、前記容器本体に対して近接方向に配置されたときに前記容器本体の表面と対向する位置に配置される構成となっている。
すなわち、前記把持部本体外面は、利用者が把持する使用状態では、前記把持部の外側に配置される。また、前記把持部本体外面は、利用者が飲料容器を持ち運ぶ際や収納する際等の非使用状態では、前記容器本体の表面に、例えば沿って配置される。
したがって、前記把持部本体外面の幅方向を長く形成しても、前記非使用状態でも前記把持部本体外面が前記容器本体から突出することはない。
このため、前記飲料容器から飲料を摂取する例えば乳幼児等が把持し易いように、示指等の各指と手掌とで挟む表面積を広くとるため、前記把持部本体外面の幅を長く形成しても、持ち運びの際にバッグ等の中で邪魔になることがない。
すなわち、乳幼児等が把持し易く、且つ持ち運び易く、収納し易いコンパクトな飲料容器となる。
なお、飲料容器とは、人工乳首が取り付けられた哺乳器や、吸い口が取り付けられたスパウトカップ、ストローが取り付けられたストローボトル、コップ状の飲み口が付けられたカップや水筒等、飲用者が自ら飲み口部から飲料を摂取する飲料容器を示している。
【０００９】
好ましくは、請求項２の発明によれば、請求項１の構成において、前記把持部本体を前記容器本体に対し離間方向である使用状態位置及び／又は近接方向である格納状態位置に位置決めする位置決め部が設けられ、前記位置決め部には、前記支軸部に形成される支軸側位置決め部と、前記装着部に形成される装着側位置決め部と、が含まれることを特徴とする飲料容器である。
【００１０】
請求項２の構成によれば、前記把持部本体を前記容器本体に対し離間方向である使用状態位置、近接方向である格納状態位置の一方または両方に位置決めする位置決め部が設けられ、前記位置決め部には、前記支軸部に形成される支軸側位置決め部と、前記装着部に形成される装着側位置決め部と、が含まれている。
このため、利用者は、前記支軸側位置決め部と前記装着部側位置決め部とを相互に係止等させることで、前記把持部本体を前記容器本体に対し前記使用状態又は前記近接状態に位置決めし、不用意に把持部が動いてしまうことを防ぐことができる。
そして、前記位置決め部によって、利用者は、前記把持部本体が前記使用状態又は前記格納状態に位置する否かを容易且つ確実に把握することができる。
【００１１】
好ましくは、請求項３の発明によれば、請求項１又は請求項２の構成において、前記装着部には、装着側係止部が形成され、前記支軸部には、前記装着側係止部に対応する支軸側係止部が形成され、前記支軸係止部は、前記支軸部の前記容器本体の高さ方向における上方側に配置され、前記装着側係止部と前記支軸側係止部とを前記支軸部の前記上方側から固定するための把持部固定手段が設けられていることを特徴とする飲料容器である。
【００１２】
請求項３の構成によれば、前記支軸係止部は、前記支軸部の前記容器本体の高さ方向における上方側に配置され、前記装着側係止部と前記支軸側係止部とを前記支軸部の前記上方側から固定するための把持部固定手段が設けられている。
このため、前記支軸部の前記装着部配置面側に前記把持部の前記装着側係止部が配置されると共に、前記支軸部の前記上方側では、前記装着側係止部と前記支軸側係止部とが前記把持部固定手段によって固定されている。
したがって、前記把持部は、前記支軸部の前記上方側及び前記下方側の双方から、前記支軸部に固定されるため、前記支軸部から脱落し難く、確実に把持部を回動または回転可能な構成となっている。
【００１３】
好ましくは、請求項４の発明によれば、請求項１乃至請求項３のいずれかの構成において、前記容器本体から離間方向に配置された前記把持部本体が前記容器本体に対して外方に突出する凸形状を有し、前記容器本体には、前記凸形状が配置可能な収容凹部が形成されていることを特徴とする飲料容器である。
【００１４】
請求項４の構成によれば、前記容器本体から離間方向に配置された前記把持部本体が前記容器本体に対して外方に突出する凸形状を有し、前記容器本体には、前記凸形状が配置可能な収容凹部が形成されている。
このため、前記把持部を回動等して前記把持部本体を前記容器本体に対し近接方向である格納状態位置に配置したとき、把持部本体の凸形状が容器本体の収容凹部の中に入り込むため構成となっている。このため、把持部が外方に突出して持ちやすくされているにもかかわらず、格納状態にした際にコンパクトにすることができ、さらに、前記把持部本体が前記収容凹部によって確実に保持され、固定される構成となっている。
したがって、把持しやすさとコンパクトさを実現しながらも、前記把持部が前記容器本体から脱落等するのをより確実に防止等することができる。
【００１５】
好ましくは、請求項５の発明によれば、請求項１乃至請求項３のいずれかの構成において、前記支軸部の前記装着部配置面が、前記容器本体から離間する方向に傾斜して形成されていることを特徴とする飲料容器である。
【００１６】
請求項５の構成によれば、前記装着部配置面に配置される前記把持部が前記容器本体から離間する方向に傾斜して形成される。このため、外方に突出するよう形成された前記把持部本体を前記容器本体に対し近接方向に配置しても、前記容器本体と当接等して干渉することがない。
したがって、例えば前記容器本体を円筒状等の容積が大きくとれるよう形成することが可能となり、高さ方向を低くした場合等においても、前記容器本体内に収容可能な飲料の量を多くすることができる。
【００１７】
前記課題は、請求項６の発明によれば、飲み口部を有する容器本体と、前記容器本体の外方に配置される把持部と、を有する飲料容器であって、前記容器本体には、前記容器本体から外方に延伸されて、前記把持部を支持する支軸部が設けられ、前記把持部は、利用者が把持する把持部本体と、前記支軸部に支持される装着部と、を有し、前記把持部本体は、前記装着部と交差する方向に配置され、前記支軸部の前記容器本体の高さ方向における上方側には、装着部配置面が設けられ、前記装着部配置面には、前記装着部が配置され、前記把持部本体は、前記装着部を中心として前記支軸部において回動又は揺動可能な構成となっており、前記装着部の前記回動又は前記揺動によって、前記把持部本体の相対位置が前記容器本体に対し離間方向又は近接方向に変化する構成となっており、前記容器本体から離間方向に配置された前記把持部本体の外側である把持部本体外面が、前記容器本体に対して近接方向に配置されたときに前記容器本体の表面と対向する位置に配置されることを特徴とする飲料容器により達成される。
【００１８】
請求項６の構成によれば、請求項１の構成と同様に、把持し易く、且つ持ち運び易く、収納し易いコンパックトな飲料容器となる。
【発明の効果】
【００１９】
本発明は、取っ手等の把持部を持ちやすく構成しつつ、利用者に煩雑な手間をかけずに、持ち運び易く、収納し易いコンパクトな飲料容器を提供するという利点がある。
【発明を実施するための最良の形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
（第１の実施の形態）
（飲料容器１００の全体構成等について）
図１（ａ）は、本発明の第１の実施の形態に係る飲料容器１００のフード１１０を閉じて取っ手１７０を格納した格納状態を示す概略斜視図であり、図１（ｂ）は、本実施の形態の飲料容器１００のフード１１０を開けて取っ手１７０を使用状態とした飲用状態を示す概略斜視図である。また、図２は、図１（ｂ）の飲料容器１００の概略正面図である。
図２に示すように、飲料容器１００は、飲料である例えば、ミルク等を収容するボトル１２０を有している。ボトル１２０は、上端側が開口とされて、この開口からミルク等の飲料を挿入したり、洗浄したりすることが可能な構成となっている。
また、ボトル１２０の前記開口には、この開口を覆うように蓋部１３０が配置されている。蓋部１３０の図において上部には、飲み口部である例えば、上側ストロー１４０ａ等を支持するためのストロー支持部１５０が配置されている。
したがって、ボトル１２０、蓋部１３０及びストロー支持部１５０等が、容器本体の一例である。
【００２２】
また、蓋部１３０には、図２に示すように、蓋部１３０から図の左右方向に突出させ、外方に延伸された２つの支軸部１６０ａ、１６０ｂが形成されている。
図２の飲料容器１００の外方である図の左右側には、把持部である取っ手１７０ａ、１７０ｂが配置されている。これら取っ手１７０ａ、１７０ｂは、支軸部１６０ａ、１６０ｂによって支持されている。
取っ手１７０ａ、１７０ｂは、図２に示すように、利用者である例えば、乳幼児等が手で把持する把持部本体である例えば、取っ手本体１７１ａ、１７１ｂを有している。また、取っ手１７０ａ、１７０ｂは、蓋部１６０の支軸部１６０ａ、１６０ｂと接続するための装着部である例えば、取っ手装着部１７２ａ、１７２ｂを有しており、持ち易いように中央部領域が若干くびれを有する形状とされている。
【００２３】
（取っ手１７０ａ等と支軸部１６０ａ等の関係等について）
図３は、図２の矢印Ａ部の概略拡大断面図である。なお、取っ手１７０ａ等及び支軸部１６０ａ等はボトル１２０の両側に２個配置されているが、同一の構成であるため、以下、いずれか一方のみについて説明し、他方の説明は省略する。
図３に示すように、支軸部１６０ｂの下側、すなわち、支軸部１６０ｂの図２のボトル１２０の高さ方向における下方側には、装着部配置面１６１ｂが形成されている。
この装着部配置面１６１ｂには、図３に示すように取っ手装着部１７２ｂが配置される構成となっている。
また、取っ手装着部１７２ｂには、装着側係止部である例えば、装着側係止凸部１７３ｂが形成されている。装着側係止凸部１７３ｂは、図３に示すように略台形と成っていると共に、その中央部には撓み用の空間Ｂが形成された、所謂割ピン構造とされている。
一方、支軸部１６０ｂには、図３に示すように装着側係止凸部１７３ｂを挿入するための開口が形成されていると共に、この開口部には、装着側係止凸部１７３ｂに対応して、これと係止される支軸側係止部が形成されている。
具体的には、図３の支軸側係止凹部１６２ｂが、支軸側係止部の一例である。
すなわち、装着側係止凸部１７３ｂは、支軸部１６０ｂの開口部に挿入される際、中央部の空間Ｂ側へ撓むことで無理なく挿入できる構成となっている。
また、支軸部１６０ｂの開口部に挿入された装着側係止凸部１７３ｂは、支軸側係止凹部１６２ｂと係止される構成となっている。
【００２４】
また、支軸部１６０ｂの支軸側係止凹部１６２ｂは、図３に示すように支軸部１６０ｂの装着部配置面１６１ｂと反対側の面である上面側に形成されている。すなわち、支軸側係止凹部１６２ｂは、支軸部１６０ｂのボトル１２０の高さ方向における上方側に配置されている。
また、図３に示すように、支軸部１６０ｂの開口部であって、装着された取っ手装着部１７２ｂにおける中央部の空間Ｂ内には、装着側係止凸部１７３ｂと支軸側係止凹部１６２ｂとを支軸部１６０ｂの上方（上面）側から固定するための把持部固定手段である例えば、固定ピン１８０が配置されている。
すなわち、支軸側係止凹部１６２ｂに対して係止されている装着側係止凸部１７３ｂは、図３の空間Ｂ側へ撓む構成となっているため、使用時の捻れ等に伴い、この撓みにより両者の係止が解除され、取っ手１７０ｂが、支軸部１６０ｂから外れるおそれがある。
そこで、装着側係止凸部１７３ｂの撓みを規制して、確実に固定するため、図３に示すように固定ピン１８０を配置する構成となっている。
【００２５】
したがって、支軸部１６０ｂへ係止された装着側係止凸部１７３ｂは、支軸部１６０ｂの下側（装着部配置面１６１ｂ側）と上側（固定ピン１８０挿入側）の双方から固定されるため、支軸部１６０ｂから脱落等し難い構成となっている。また、これにより取っ手１７０ｂも支軸部１６０ｂから外れ難い構成となっている。
【００２６】
ところで、取っ手１７０ｂ等と支軸部１６０ｂ等とは、図３に示すように構成されているため、取っ手１７０ｂ等の取っ手装着部１７２ｂは、支軸部１６０ｂを中心として回動又は揺動可能な構成となっている。
したがって、この取っ手装着部１７２ｂ等の回動等によって取っ手１７０ｂ等は、図１（ａ）に示す矢印Ｒの方向に回動することになる。つまり、載置面に対する垂線を中心軸とする方向Ｒへの回転が可能とされている。このため、飲料容器１００の利用者である乳幼児等が取っ手１７０ａ等を把持して飲用するときは、取っ手１７０ａ等を回動し、図１（ｂ）及び図２に示す位置に、取っ手１７０ａ等を配置する。
【００２７】
一方、飲料容器１００を乳幼児の保護者等がバッグ等に入れて持ち運ぶ際は、図１（ａ）の位置に格納されるように取っ手１７０ａ等を回動させる。
このように、図３の取っ手装着部１７２ｂ等を回動させることで、取っ手本体１７１ｂ等の相対位置がボトル１２０に対し離間方向となり、取っ手１７０ｂ等は、図１（ｂ）の飲料容器の使用状態となり、取っ手本体１７１ｂ等の相対位置がボトル１２０に対し近接方向となると、図１（ａ）に示すように飲料容器１００の非使用状態、すなわち、格納状態となる。
【００２８】
また、取っ手１７０ａ等を図２のボトル１２０から離間方向に配置し、乳幼児等が把持可能な状態にした場合、図２に示すように、取っ手本体１７１ｂ等の外側に把持部本体外面である例えば、取っ手本体外面１７５ａ、１７５ｂが位置される。
そして、取っ手本体外面１７５ａ、１７５ｂは、取っ手１７０ａ等を上述のように回動させ、図１（ａ）の位置に配置させたとき、図３に示す取っ手本体外面１７５ａ等は、図１（ａ）に示すようにボトル１２０の表面と対向する位置に配置する構成となっている。
【００２９】
また、図２に示すように、取っ手１７０ａ等の取っ手本体１７１ａ等は、ボトル１２０に対して外方、すなわち、離間する方向（図において左右方向）に突出する凸状の湾曲形状を成している。
したがって、乳幼児が飲料容器１００を把持する際に、取っ手本体１７１ａ等の湾曲形状の逆側となる凹状部に手を挿入しやすくなり、把持し易い形状となっている。
しかし、このように湾曲形状となっている取っ手本体１７１ａ等が回動されて図１（ａ）に示す格納状態に変位させようとすると、ボトル１２０の表面に当接して、格納状態に配置できないおそれがある。
そこで、本実施の形態では、図２に示すように、ボトル１２０に取っ手本体１７１ａ等の形状に対応した湾曲部１２１が形成されている。すなわち、ボトル１２０には、取っ手本体１７１ａ等の湾曲形状が配置可能な収容凹部が形成されている。
したがって、ボトル１２０の湾曲部１２１は、収容凹部の一例となっている。
【００３０】
図４は、図１（ａ）の蓋部１３０、取っ手１７０ａ等及びボトル１２０の関係を示す、取っ手１７０ａ等が収容された状態の概略説明図である。
図４に示す、蓋部１３０は、ボトル１２０の上端部に設けられた開口に対し、螺合等されている。このため、飲料容器１００に利用者が、ボトル１２０内にミルク等の飲料を入れるため、蓋部１３０をボトル１２０から取り外し、その後、再び取り付ける際、装着が不十分となるおそれがあり、このような状態で、利用者が蓋部１３０を持つと蓋部１３０がボトル１２０から外れるおそれがある。また、バッグ等に収容して携帯する際等において、蓋部１３０が不用意に外れてしまうおそれもある。
一方、本実施の形態では、取っ手１７０ａ等が格納状態の場合は、取っ手本体１７１ａ等の湾曲形状の部分が、ボトル１２０の湾曲部１２１内に入り込む構成となっている。
つまり、蓋部１３０は取っ手１７０ａ等によっても支えられているため、ボトル１２０により確実に保持され、ボトル１２０から外れにくい構成となっている。具体的には蓋部１３０及び取っ手１７０ａ等は、取っ手１７０ａ等が湾曲部１２１の上方に配置された拡幅部１２１ａに保持されるため、図４の矢印Ｕの方向に外れ難い構成となっている。
しかも、この湾曲部１２１が、取っ手１７０ａ等から離間する方向に凹状とされているため、取っ手１７０ａの湾曲形状と相まって、乳幼児が手指を挿入しやすくなっている。
なお、例えば、この飲料容器１００が、乳幼児等に対して母親等の介助者が飲ませるような使用も行う、哺乳器や吸い口つきカップとされている場合、蓋部１３０に中央貫通口が形成され、中央貫通口に乳首部や吸い口部を挿入してセットし、人工乳首の座板部がボトル１２０の開口と蓋部１３０内に挟まれるように配置されることとなる。
この時、取っ手１７０ａ等を格納状態とすると、取っ手１７０ａ等や湾曲部１２１が内方に窪んだ曲面形状となるため、介助者が持って乳幼児等に与え易い。
【００３１】
図５は、支軸部１６０ｂと取っ手装着部１７２ｂ等の関係を示す概略斜視図である。図５に示すように、取っ手装着部１７２ｂには、図３に示した装着側係止凸部１７３ｂを支持する係止凸部支持部１７４ｂが設けられている。
また、この係止凸部支持部１７４ｂの根本側には、取っ手装着部１７２ｂの表面に載置されるように２つの取っ手側位置決め片１７５ｂ、１７５ｂが形成されている。
【００３２】
一方、支軸部１６０ｂには、図５に示すように、支軸部１６０ｂの下面である装着部配置面１６１ｂ側に、凹状の回動溝１６３ｂが形成されている。すなわち、取っ手装着部１７２ｂの装着側係止凸部１７３ｂを支軸部１６０ｂの空間Ｂ内に挿入し、装着側係止凸部１７３ｂが、図３に示すように支軸部１６０ｂの支軸側係止凹部１６２ｂと係止されたときに、図５に示す取っ手側位置決め片１７５ｂ、１７５ｂが、回動溝１６３ｂの内周面に沿って移動可能な構成となっている。
また、この回動溝１６３ｂには、図５に示すように、２カ所の支軸側位置決め凹部１６４ｂ、１６４ｂが形成されている。
このため、回動溝１６３ｂを移動している２つの取っ手側位置決め片１７５ｂ、１７５ｂを、２カ所の支軸側位置決め凹部１６４ｂ、１６４ｂ内に配置することで、その移動が規制され、位置決めされる構成となっている。
【００３３】
また、このように位置決めされた位置から、１８０°回動させることで再び位置決めされる構成となっている。すなわち、図５に示す取っ手側位置決め片１７５ｂ、１７５ｂは、回動溝１６３ｂ内を一周（３６０°）する間に２回、位置決めされる。そして、この位置決めの一方が、図１（ａ）に示す取っ手本体１７１ｂ等の格納状態の位置であり、他方が図１（ｂ）に示す、取っ手本体１７１ｂ等の使用状態の位置となる。
このように、図５の構成によれば、取っ手本体１７１ａ等の位置を使用状態又は格納状態に正確に位置決めでき、利用者は、取っ手１７０ａ等を回動させる際、確実に使用状態又は格納状態に配置されたか否かを把握できる構成となっている。
【００３４】
したがって、支軸側位置決め凹部１６４ｂが支軸側位置決め部の一例であり、取っ手側位置決め片１７５ｂが装着側位置決め部の一例となっている。また、支軸側位置決め凹部１６４ｂと取っ手側位置決め片１７５ｂ等により位置決め部が形成され、この位置決め部により、取っ手本体１７１ｂ等がボトル１２０に対し使用状態位置又は格納状態位置に位置決めされている。
【００３５】
また、２つの支軸側位置決め凹部１６４ｂ、１６４ｂは、その両側に図５に示すように、突起部１６４ｂｂがそれぞれ形成されているため、取っ手側位置決め片１７５ｂが支軸側位置決め凹部１６４ｂ内に入り込むときは必ず、この突起部１６２ｂｂを乗り越える構成となっている。
そして、取っ手側位置決め片１７５ｂが突起部１６４ｂｂを乗り越える際、利用者はその動き（クリック感）を察知することができるので、この突起部１６４ｂｂの乗り越えは、利用者に位置決めされたことを報知する手段とともなっている。しかも、突起部１６４ｂｂを乗り越える際のカチッという音によっても位置決めされたことを認識できる。
なお、取っ手側位置決め片１７６ｂと、支軸側位置決め凹部１６４ｂ及び突起部との関係は、取っ手１７１ｂ側と支軸部１６０ｂとの関係を入れ替えて配置してもよい。
【００３６】
（ストロー支持部１５０の構成等について）
図６は、図２の概略平面図である。図６に示すように、ストロー支持部１５０は、上側ストロー１４０ａを支持する構成となっている。また、ストロー支持部１５０は、開閉可能なフード１１０を有している。
すなわち、フード１１０は、図１（ａ）及び図１（ｂ）に示すようにストロー支持部１５０が支持している上側ストロー１４０ａを格納又は露出させるように、ストロー支持部１５０上を回転状に移動するスライドする構成となっている。
【００３７】
図７は、フード１１０と上側ストロー１４０ａとの関係等を示す概略図である。
図７に示すように、上側ストロー１４０ａが、フード１１０内に格納されるときは、上側ストロー１４０ａが折り曲げられる構成となっている。
このように上側ストロー１４０ａがフード１１０によって折り曲げられるため、図６に示すように、ストロー支持部１５０には、ストロー格納凹部１５１が形成されている。
すなわち、フード１５０によって折り曲げられた上側ストロー１４０ａは、全てを潰すことなく、ストロー格納凹部１５１内に収容される。
また、ストロー支持部１５０は、図６に示すように板状の折り板１５２を有している。
この折り板１５２は、上側ストロー１４０ａの折り曲げ方向側に近接した位置で、フード１１０の閉止方向側に配置されている。
このため、図７に示すようにフード１１０によって上側ストロー１４０ａを折り曲げる際、上側ストロー１４０ａをストロー格納凹部１５１に向けて適切な位置で精度良く折り曲げることができる構成となっている。
すなわち、フード１１０によって、上側ストロー１４０ａが、斜めに歪んで折り曲げられると、フード１１０を開く際に上側ストロー１４０ａが干渉してフード１１０を開け難くするおそれや、上側ストロー１４０ａから漏れ出すおそれがある。
しかし、本実施の形態では、上側ストロー１４０ａが精度良く折り曲げられ、ストロー格納凹部１５１に配置されるので、フード１１０が開く際に、上側ストロー１４０ａが、その動作を阻害するおそれがなく、確実に上側ストロー１４０ａを屈曲させるので、屈曲位置で上側ストロー１４０ａが確実に密閉されることとなる。
【００３８】
また、ストロー支持部１５０には、ボトル１２０内のミルク等の飲料の噴き出しや飲用に伴って飲みづらくなる等の圧力変動に伴う影響を防ぐための通気孔１５３が配置されている。
この通気孔１５３の上には、図６に示すように、折り曲げられた上側ストロー１４０ａを配置する構成となっており、フード１１０を閉じた状態で内容物である飲料が通気孔１５３から漏れ出ないように上側ストロー１４０ａで塞いでいると共に、フード１１０を開き始めた状態では、屈曲された上側ストロー１４０ａの変形が解除され始めることに伴って、通気孔１５３上の上側ストロー１４０ａの屈曲位置が上方に移動し、通気孔１５３が露出されるため、急激にボトル１２０内の内圧が高まっているような場合でも、通気孔１５３からボトル内の空気が逃げて上側ストロー１４０ａから逆流することがない。
なお、上側ストロー１４０ａはボトル１２０内において、下側ストロー１４０ｂと分離可能に連結されており、飲料を吸引して飲むことができるよう結合されている。
【００３９】
（取っ手１７０ａ等の幅について）
図１や図６に示すように、取っ手本体１７１ａ等は、飲用時における奥行きに当る幅Ｗを広くすることで、特に乳幼児等は取っ手１７０ａ等を把持し易く構成されている。つまり、厚みに対して幅Ｗが大きな形状とされている。
しかし、従来のようにボトルの壁面に沿うように取っ手等を配置した場合、この取っ手の幅を広くすると、取っ手を格納状態にした際、その幅Ｗ分だけ外方に突出し、バッグ内等に収容したときに邪魔になることや、バッグ内等で不用意に力がかかると、格納された取っ手が出てきてしまうなどの問題があった。
この点、本実施の形態では、図１（ａ）に示すように、取っ手１７０ａ等の格納状態では、取っ手本体１７１ａ等の幅方向の部分は、ボトル１２０の表面に沿って配置される構成となっているため、本実施の形態では、従来と異なり、図１（ａ）の取っ手本体１７１ａの幅Ｗを広く形成しても、取っ手１７０ａ等の格納状態でも、取っ手１７０ａ等が外方に突出することがない。したがって、乳幼児等が把持し易い幅広の取っ手１７０ａ等とすることができる。
【００４０】
本実施の形態にかかる飲料容器１００は、以上のように構成される。このため、利用者が飲料容器１００をバッグ等に入れて持ち運ぶときは、取っ手１７０ａ、１７０ｂを回動させ、図１（ｂ）の位置に取っ手１７０ａ等を配置することができる。このように配置することで、取っ手１７０ａ等がボトル１２０や支軸部１６０ａの外方に突出せず、ボトル１２０の表面に沿って配置される。このため、取っ手１７０ａ等がバッグ等の中で突出して邪魔になることがなく、しかも、介助者等が飲用させる際には持って飲ませ易い。
また、従来の飲料容器と異なり、バッグ等内に入れる際に、取っ手を取り外す必要がないので、利用者に煩雑な手間をかけることがない。
また、飲料容器１００のボトル１２０内にミルク等を入れて乳幼児等が自ら飲用する際には、取っ手１７０ａ等を回転させ、図１（ｂ）の位置に配置することで、乳幼児にとって飲みやすい取っ手１７０ａ等を持った飲料容器とすることができる。
また、本実施の形態では、把持し易い幅広の取っ手１７０ａ等としても、格納状態で外方に突出しないので、嵩張らず、把持し易い飲料容器１００とすることができる。
【００４１】
（第１の実施の形態の第１の変形例）
図８は、第１の実施の形態の飲料容器１００の第１の変形例の要部を示す概略説明図である。
本変形例の構成の多くは第１の実施の形態と共通であるため、共通の構成は同一符号等として、説明を省略し、以下相違点を中心に説明する。
図８に示すように、本変形例では、第１の実施の形態の図５と異なり、取っ手側位置決め片２７５ｂが１ヶ所だけ形成されている。
また、回動溝２６３ｂが２つの凹部２６４ｂを結ぶ１方向のみに形成されているため、取っ手側位置決め片２７５ｂの回動溝２６３ｂにおける可動範囲が第１の実施の形態の３６０°と異なり、１８０°（図８の矢印で示す範囲）となっている。
【００４２】
このように、１８０°の範囲に形成されている回動溝２６３ｂに沿って、取っ手側位置決め片２７５ｂが移動することで、図１（ａ）（ｂ）に示すように、取っ手１７０ａ等を使用状態又は格納状態に変化させることができる構成となっている。
具体的には、図８の２つの支軸側位置決め凹部２６４ｂのいずれか一方が、図１（ａ）の取っ手１７０ａ等の格納状態であり、他方が、図１（ｂ）の使用状態である。
なお、このとき、支軸側位置決め凹部２６４ｂの突起部２６４ｂｂにおける一方の高さを若干高く構成し、取っ手１７０ａを各状態にセットする際に、取っ手側位置決め片２７５ｂが突起部２６４ｂｂを乗り越える感覚を異ならせるよう構成してもよく、例えば格納状態から使用状態に移行する際には、格納状態から動かしやすく、かつ使用状態を認知しやすくなるよう、突起部２６４ｂｂの高さについて格納状態側を高く、使用状態側を低く構成してもよい。
本変形例においても、第１の実施の形態と同様に、取っ手側位置決め片２７５ｂが２ヶ所の支軸側位置決め凹部２６４ｂ内に収容されることで位置決めが可能となっている。また、第１の実施の形態と同様に、突起部２６４ｂｂが形成されているため、利用者に取っ手１７０ａ等が位置決めされたことを報知する構成となっている。
【００４３】
（第１の実施の形態の第２の変形例）
図９は、第１の実施の形態の第２の変形例に係る飲料容器２００を示す概略図である。
本変形例の構成の多くは第１の実施の形態と共通であるため、共通の構成は同一符号等として、説明を省略し、以下相違点を中心に説明する。
本変形例は、図９に示すように、支軸部２６０ａ、２６０ｂの形成位置が第１の実施の形態と異なる。すなわち、図６に示す第１の実施の形態の支軸部１６０ａ、１６０ｂは、蓋部１３０から図において左右方向の対称位置から真っ直ぐ突出して形成されている。
これに対して、本変形例では、図９に示すように、支軸部２６０ａ、２７０ｂは、角度θ、例えば２０°程度、それぞれ傾けて配置されている。
このように支軸部１６０ａ等を傾けて配置することで、支軸部１６０ａ等に接続される取っ手１７０ａ等も同様に傾いて配置されることになる。
この傾きは、例えば利用者である乳幼児側に向かって傾くようになっている。
【００４４】
ところで、乳幼児等が飲料容器２００を使用して飲料を飲む場合は、図９の下側を自己の体に近接等させて上側ストロー１４０ａを口に入れることになる。
このとき、乳幼児が把持する取っ手１６０ａ等が乳幼児側に傾いて配置されていると、乳幼児は基本的に腋下が閉じた状態にあるため、飲料容器２００を保持しやすくなる。
なお、本変形例では支軸部２６０ａ等の角度を異ならせることで、取っ手１６０ａ等の角度を異ならせているが、支軸部２６０ａ等の角度は第１の実施の形態と同様として、取っ手１６０ａの伸びる角度をあらかじめ角度θ分だけ傾けてもよく、また、各位置決め手段による角度、例えば回動溝２６３ｂにおける凹部２６４ｂの配置される角度を、あらかじめ角度θ分だけ角度がついた状態として形成することによって、取っ手１６０ａ等の角度を異ならせてもよい。
【００４５】
（第１の実施の形態の第３の変形例）
図１０は、第１の実施の形態の第３の変形例に係る飲料容器３００を示す概略図である。
本変形例の構成の多くは第１の実施の形態と共通であるため、共通の構成は同一符号等として、説明を省略し、以下相違点を中心に説明する。
本変形例は、第１の実施の形態の図２と異なり、図１０に示すように、ボトル３２０の湾曲部３２１における括れが僅かに太くされて、表面に窪み部３２１が形成されている。
この窪み部３２１ａは、例えば開口側が楕円形でなる凹状の窪みであって、この窪み内に、図１０の取っ手１７０ａ等の取っ手本体外面１７５ａ、１７５ｂの一部が入り込み固定される構成となっている。
このため、取っ手１７０ａ等を図１（ａ）に示すように格納状態に配置した場合に、各位置決め手段と同様に取っ手１７０ａ等が固定され、利用者のバッグ等内で取っ手１７０ａ等が動き、利用者の邪魔になることを未然に防ぐことができる。
【００４６】
（第２の実施の形態）
図１１は、第２の実施の形態にかかる飲料容器４００の要部を示す概略図である。
本実施の形態の構成の多くは第１の実施の形態と共通であるため、共通の構成は同一符号等として、説明を省略し、以下相違点を中心に説明する。
図１１に示すように、本実施の形態の支軸部４６０ｂ等には、その装着部配置面４６１ｂ側に略筒状の突起部とされた係止凹部支持部４６２ｃが下方、すなわち、取っ手装着部４６２ｂ側に形成されている。
一方、取っ手装着部４６２ｂには、支軸部４６０ｂ等の係止凹部支持部４６２ｃを内部に収容可能な凹部である支持部収容凹部４７４が形成されている。
そして、支持部収容凹部４７４内には、凸状の装着側係止凸部４７３ｂが形成されている。
また、支軸部４６０ｂ等の係止凹部支持部４６２ｃには、取っ手装着部４６２ｂの装着側係止凸部４７３ｂを係止するための支軸側係止凹部４６２ｂが溝状に形成されており、この支軸側係止凹部４６２ｂには、支軸側位置決め凹部４６４ｂが形成されている。
さらに、支軸側係止凹部４６２ｂは、周状に配置されているが、その一端側には外部に対して開口である着脱用開口部４６２ｄが形成されている。
【００４７】
本実施の形態の飲料容器４００の要部は以上のように構成されているため、図１１に示す取っ手装着部４６２ｂを支軸部４６０ｂ等に装着する際は、先ず、取っ手装着部４６２ｂの支持部収容凹部４７４内に支軸部４６０ｂの係止凹部支持部４６２ｃを挿入する。
このとき、支持部収容凹部４７４内の装着側係止凸部４７３ｂが、係止凹部支持部４６２ｃの着脱用開口部４６２ｄに位置するように挿入する。
この状態から、装着側係止凸部４７３ｂを、周状に配置された溝状の支軸側係止凹部４６２ｂに沿って回転移動すると、取っ手装着部４６２が係止される。
さらに、取っ手装着部４６２ｂを回転させ、装着側係止凸部４７３ｂが、支軸側係止凹部４６２ｂに形成された支軸側位置決め凹部４６４ｂ内に収容されると、その位置で取っ手装着部４６２は、位置決めされる。
【００４８】
すなわち、図１１に示す支軸側位置決め凹部４６４ｂを１８０°の間隔をあけて支軸側係止凹部４６２ｂに２カ所形成することで、図１（ａ）の格納状態及び図１（ｂ）の使用状態で取っ手１７０ａ等を精度良く位置決めすることが可能な構成となる。
本実施の形態によれば、第１の実施の形態と異なり、取っ手装着部４６２ｂが支軸部４６０ｂ等に対して着脱可能に構成されている。
したがって、飲料容器４００を使用した後、支軸部４６０ｂ等から取っ手１７０ａ等を取り外すことができ、これらの間に入り込んだ汚れ等を洗浄することができる。
【００４９】
（第３の実施の形態）
図１２及び図１３は、第３の実施の形態にかかる飲料容器５００の要部を示す概略図である。
本実施の形態の構成の多くは第１の実施の形態と共通であるため、共通の構成は同一符号等として説明を省略し、以下相違点を中心に説明する。
本実施の形態では、図１２に示すように、第１の実施の形態の図２と異なり、支軸部５６０ａ等の装着部配置面５６１ｂが、ボトル５２０から離間する方向に傾斜して形成されている。すなわち、装着部配置面５６１ｂに接続される取っ手１７０ａ等が、ボトル５２０の壁面から離れる方向に傾いて配置するように、支軸部５６０ａ等が傾斜している。
また、取っ手１７０ａ等の先端部は図１２等で示す取っ手１７０ａ等の回動軸Ｋから離間した位置に配置されている。
【００５０】
したがって、取っ手１７０ａ等を回動させ、図１（ａ）に示す格納状態に配置しても、図１５に示すように、取っ手１７０ａ等の湾曲状に膨らんだ部分は、ボトル５２０の表面に突き当たることなく、取っ手１７０ａ等の回動に際し、ボトル５２０が障害等となることがない。そして、格納状態において、取っ手１７０ａ等はボトル５２０の壁面に沿った位置に配置されるため、携帯や収納を行いやすい。
特に、格納状態では、図１３に示すように、取っ手１７０ａ等の先端部が回動軸Ｋからボトル５２０側に離間した位置となるため、取っ手１７０ａ等をコンパクトにすることができる。
一方、使用状態では、図１２に示すように、取っ手１７０ａ等の先端部は、回動軸Ｋから、ボトル５２０に離間する方向に配置されるので、利用者が手を入れやすく把持しやすい構成となる。
このため、本実施の形態の飲料容器５００のボトル５２０は、第１の実施の形態のボトル１２０と異なり、湾曲部１２１等を形成する必要がないので、同じ高さの場合、ボトル５２０内に収容する飲料を多くすることができる。すなわち、ボトル５２０を円筒状にすることが可能となり、ボトル５２０の容積を大きくすることができる。
【００５１】
（第４の実施の形態）
図１４は、第４の実施の形態にかかる飲料容器６００を示す概略図である。
本実施の形態の構成の多くは第１の実施の形態と共通であるため、共通の構成は同一符号等として説明を省略し、以下相違点を中心に説明する。
本実施の形態では、第１の実施の形態と異なり、取っ手６７０ａ、６７０ｂの下端側にも支軸部６６０ａ、６６０ｂが形成されている。
また、このように形成された取っ手６７０ａ等の形状に対応した湾曲部６２１がボトル６２０に形成されている。
また、取っ手６７０ａ等の下端側の２つの支軸部６６０ａ、６６０ｂは支軸連結部材６６０ｃで連結されている。
支軸連結部材６６０ｃは、中央がボトル６２０の壁面形状に対応した貫通口となっており、この貫通口にボトル６２０を挿入させる構成となっている。
【００５２】
ところで、通常、取っ手を両手で保持した場合、取っ手が薄い形態とされていることもあって、ボトルから離間する方向に力を加えると曲がり易い構造となっている。
しかし、本実施の形態の飲料容器６００によれば、取っ手６７０ａ等は上下の両端部が支軸部１６０ａ、６６０ａ等で保持されているので、利用者である乳幼児等が取っ手６７０ａを図において左右方向に広げようとしても、取っ手６７０ａ等は上下の両端で保持され、曲がり難い構成となっている。また、取っ手６７０ａ等の回転軸が上下にあるため、回転操作を行い易く、さらに位置決めも確実に行うことができる。
なお、取っ手６７０ａを支軸連結部材６６０ｃにのみ連結させて、ボトル６２０の底面側に設けられた支軸部から上方に向かって取っ手が伸びるように配置され、回動または揺動可能に取り付けられるよう構成し、その他の形態は、本発明の各実施の形態に記載した飲料容器における構成と同様としてもよい。
【００５３】
（第５の実施の形態）
図１５、図１６及び図１７は、第５の実施の形態にかかる飲料容器７００の主な構成等を示す概略図である。
本実施の形態の構成の多くは第１の実施の形態と共通であるため、共通の構成は同一符号等として、説明を省略し、以下相違点を中心に説明する。
本実施の形態では、図１５に示すように、コップ状の飲み口とされた容器本体７２０から直接、支軸部７６０が外方に向かって突出するよう形成されている。
そして、取っ手７７０ｂ等の取っ手本体７７１ｂ等と取っ手装着部７７２ｂ等とが交差、例えば直交するように配置されており、取っ手装着部７７２ｂ等には、図１５に示すように、下方に伸びる装着側係止凸部７７３ｂ等が配置されている。
【００５４】
一方、支軸部７６０ｂ等には、装着側係止凸部７７３ｂ等を収容し係止するための支軸側係止部７６１ｃが上方に向かって配置されるよう形成されており、飲料容器７００の高さ方向における上方側、すなわち、図における支軸部７６０ｂ等の上面側には、取っ手装着部７７２ｂを配置するための装着部配置面７６１ｂが形成されている。
したがって、取っ手装着部７７２ｂ等は、図において上方側より支軸部７６０ｂ等に係止する構成となっている。
【００５５】
図１５に示す取っ手装着部７７２ｂ等を支軸部７６０ｂ等に係止させ、取っ手７７０ｂ等を回転させ、取っ手本体７７１ｂ等がボトルから離間した位置に配置され、使用状態に配置された状態を示すのが図１６であり、このとき、取っ手本体７７１ｂの取っ手本体外面７７５ｂは飲料容器７００の外側に向かって配置されている。
また、図１６の状態から取っ手７７０ｂ等を回転させ、取っ手本体７８１ｂ等がボトルに対し近接方向に配置され、格納状態に配置した状態が、図１７である。
このとき取っ手本体外面７７５ｂは、ボトル７２０の表面と対向して配置される。
このように、本実施の形態によれば、支軸部７６０ｂに回動（揺動）可能に配置された取っ手７７０ｂを１８０°回動等させることで、第１の実施の形態と同様に、取っ手７７０ｂ等を使用状態又は格納状態に変化させることができる。
また、飲料容器７００には、図１７等に示すように、取っ手本体７７０ｂの形状に対応した湾曲部７２１が形成されている。このため、取っ手本体外面７７５ｂは、第１の実施の形態と同様に、格納状態では、湾曲部７２１の凹部内に配置可能な構成となっている。
【００５６】
本発明は、上述の各実施の形態に限定されない。例えば、各実施の形態では両側に取っ手が配置された構成とされていたが、取っ手が一方向のみに設けられた所謂片手カップ構成とされていてもよい。また、位置決め手段として取っ手と支持部の接合面が凹凸関係でかみ合うように構成されて、クラッチ状とされていてもよい。上述の各実施の形態は、相互に組み合わせて構成するようにしてもよい。
【図面の簡単な説明】
【００５７】
【図１】（ａ）は、本発明の第１の実施の形態に係る飲料容器のフードを閉じて取っ手を格納した格納状態を示す概略斜視図であり、（ｂ）は、本実施の形態の飲料容器のフードを開けて、取っ手を使用状態とした飲用状態を示す概略斜視図である。
【図２】図１（ｂ）の飲料容器の概略側面図である。
【図３】図２の矢印Ａ部の概略拡大図である。
【図４】図１（ａ）の蓋部、取っ手等及びボトルの関係を示す概略説明図である。
【図５】支軸部と取っ手装着部等の関係を示す概略斜視図である。
【図６】図２の概略平面図である。
【図７】フードと上側ストローとの関係等を示す概略図である。
【図８】第１の実施の形態の飲料容器の第１の変形例の要部を示す他の概略説明図である。
【図９】第１の実施の形態の第２の変形例に係る飲料容器を示す概略図である。
【図１０】第１の実施の形態の第３の変形例に係る飲料容器を示す概略図である。
【図１１】第２の実施の形態にかかる飲料容器の要部を示す概略図である。
【図１２】第３の実施の形態にかかる飲料容器の要部を示す概略図である。
【図１３】第３の実施の形態にかかる飲料容器の要部を示す他の概略図である。
【図１４】第４の実施の形態にかかる飲料容器を示す概略図である。
【図１５】第５の実施の形態にかかる飲料容器の主な構成等を示す概略図である。
【図１６】第５の実施の形態にかかる飲料容器の主な構成等を示す他の概略図である。
【図１７】第５の実施の形態にかかる飲料容器の主な構成等を示す他の概略図である。
【符号の説明】
【００５８】
１００・・・飲料容器、１１０・・・フード、１２０・・・ボトル、１２１・・・湾曲部、１３０・・・蓋部、１４０ａ・・・上側ストロー、１４０ｂ・・・下側ストロー、１５０・・・ストロー支持部、１６０ａ、１６０ｂ、・・・支軸部、１６１ｂ・・・装着部配置面、１６２ｂ・・・支軸側係止凹部、１７０ａ、１７０ｂ・・・取っ手、１７１ａ、１７１ｂ・・・取っ手本体、１７５ａ、１７５ｂ・・・取っ手本体外面、１７２ａ、１７２ｂ・・・取っ手装着部、１７３ｂ・・・装着側係止凸部、１８０・・・固定ピン。
【図１】
2006008187.tif 000003
【図２】
2006008187.tif 000004
【図３】
2006008187.tif 000005
【図４】
2006008187.tif 000006
【図５】
2006008187.tif 000007
【図６】
2006008187.tif 000008
【図７】
2006008187.tif 000009
【図８】
2006008187.tif 000010
【図９】
2006008187.tif 000011
【図１０】
2006008187.tif 000012
【図１１】
2006008187.tif 000013
【図１２】
2006008187.tif 000014
【図１３】
2006008187.tif 000015
【図１４】
2006008187.tif 000016
【図１５】
2006008187.tif 000017
【図１６】
2006008187.tif 000018
【図１７】
2006008187.tif 000019